(57)【要約】【課題】  カバーオール形状に変更しても着用者の足を締め付けずにドレスらしい外観を保つことができ、係止部を係止せずにドレス形状とした場合でも後身頃の下縁部がめくれにくいベビードレスを提供すること。【解決手段】  着丈が少なくとも着用者の膝まである前身頃及び後身頃と、前身頃下縁中央部及び後身頃下縁中央部に設けられる係止部からなるベビードレスであって、前記後身頃の着丈が前記前身頃の着丈よりも長くなるように構成されており、前記後身頃下縁中央部が略円弧状に突出して形成され、前記前身頃と前記後身頃との間の空間内に前記後身頃が折り畳まれた状態で前記前身頃の係止部と前記後身頃の係止部とが係止されるように、前記係止部が前記前身頃の内側及び前記後身頃の外側に配置されるベビードレスとする。【選択図】図２
2016023396.tif 000002
【特許請求の範囲】
【請求項１】
着丈が少なくとも着用者の膝まである前身頃及び後身頃と、前身頃下縁中央部及び後身頃下縁中央部に設けられる係止部からなるベビードレスであって、
前記後身頃の着丈が前記前身頃の着丈よりも長くなるように構成されており、
前記後身頃下縁中央部が略円弧状に突出して形成され、
前記前身頃と前記後身頃との間の空間内に前記後身頃が折り畳まれた状態で前記前身頃の係止部と前記後身頃の係止部とが係止されるように、前記係止部が前記前身頃の内側及び前記後身頃の外側に配置される、ベビードレス。
【請求項２】
前記前身頃及び前記後身頃が下方に向かうに従って横幅が広くなるように構成されていることを特徴とする、請求項１記載のベビードレス。
【発明の詳細な説明】
【技術分野】
【０００１】
本発明は、前身頃及び後身頃の下縁中央部に設けられた係止部を係止することで衣服形態をカバーオール形状に変更可能なベビードレスに関し、より詳しくはカバーオール形状に変更しても着用者の足を締め付けずにドレスらしい外観を保つことができ、係止部を係止せずにドレス形状とした場合でも後身頃の下縁部がめくれにくいベビードレスに関する。
【背景技術】
【０００２】
従来より、乳幼児用の衣服は使用する季節あるいは乳幼児の成長の度合いに合わせた様々なタイプのものが提供されている。
【０００３】
例えば、特許文献１乃至３では生後０か月−６か月の新生児用の衣服として、ベビードレスにもカバーオールにもなるツーウェイオール（ツーウェイドレス、ドレスオールとも呼ばれる）が提案されている。足を通す部分等にスナップやボタン等の係止具を取り付け、係止具を留めかえることでカバーオールとしてもベビードレスとしても利用できる。
これらの衣服は、生後まもない頃はベビードレスとして使用し、足をよく動かすようになったらカバーオールとして使用できるため、長期間使用できるという利点がある。
【０００４】
具体的には、特許文献１には右前身頃２１と左前身頃２２の正面側の合わせ部であるボタンライン２３を、右側の前肩部から腹部の側部を通り股部（裾側を二本の分離した筒状としたときの股部）にかけて湾曲するように設けた乳児用組み衣服が提案されている。ボタンライン２３は、上記と逆に左側の前肩部から腹部の側部を通り股部にかけて湾曲するように設けてもよいことが記載されている。
上記ボタンライン２３及び右前身頃２１側のボタンの一方２５と左前身頃２２側のボタ
ンの他方２６を付け替えることで上記乳児用組み衣服はドレス形状にもロンパース形状にもすることができる。
また、特許文献１には前身頃及び後身頃の下縁部に絞り部を設けることが記載されている。
【０００５】
特許文献２及び３には前身頃の一方の肩部から下縁中央部にかけて設けられた留め具、及び後身頃下縁部に設けられた留め具の付け替えによって、衣服形態をカバーオール形状に変更可能な形状変更構造を備えるドレスオールが提案されている。
【０００６】
しかし、カバーオール形状に変更した上記特許文献の乳児用衣服はどれも着用者の足を締め付けてしまうため、着心地が悪いという問題点を有する。
また、着用者の足が締め付けられることで足元の通気性が悪くなり、多くの場合着用者はおむつをしているため着用者の肌荒れや不快感につながるという問題点も有する。
さらに、上記特許文献においてはツーウェイオールの形状をカバーオール形状又はドレス形状に変更する際にたくさんの係止具を付け替える必要があるため作業が煩雑になり、オムツ替えや着替えの際の着脱に時間がかかるという問題点を有する。
【０００７】
一方、ツーウェイオールをドレス形状とした場合、着用者を抱きかかえた時や着用者が寝返りを打った時等に後身頃の下縁部がめくれてしまうという問題点を有する。
上記特許文献１のように前身頃及び後身頃の下縁部に絞り部を設ければずり上がるのを防ぐことができるものの、ドレスらしい裾の広がった外観を保持することができないという問題点を有する。
【先行技術文献】
【特許文献】
【０００８】
【特許文献１】特開２００５−２２６１９１号公報
【特許文献２】特開２００７−８４９６３号公報
【特許文献３】特開２００６−１９３８７９号公報
【発明の概要】
【発明が解決しようとする課題】
【０００９】
本発明は、上記した従来技術の問題点を解決すべくなされたものであって、前身頃及び後身頃の下縁中央部に設けられた係止部を係止することで衣服形態をカバーオール形状に変更可能なベビードレス、より詳しくはカバーオール形状に変更しても着用者の足を締め付けずにドレスらしい裾が広がった外観を保つことができ、係止部を係止せずにドレス形状とした場合でも後身頃の下縁部がめくれにくいベビードレスを提供するものである。
【課題を解決するための手段】
【００１０】
請求項１に係る発明は、着丈が少なくとも着用者の膝まである前身頃及び後身頃と、前身頃下縁中央部及び後身頃下縁中央部に設けられる係止部からなるベビードレスであって、前記後身頃の着丈が前記前身頃の着丈よりも長くなるように構成されており、前記後身頃下縁中央部が略円弧状に突出して形成され、前記前身頃と前記後身頃との間の空間内に前記後身頃が折り畳まれた状態で前記前身頃の係止部と前記後身頃の係止部とが係止されるように、前記係止部が前記前身頃の内側及び前記後身頃の外側に配置されるベビードレスに関する。
【００１１】
請求項２に係る発明は、前記前身頃及び前記後身頃が下方に向かいに従って横幅が広くなるように構成されていることを特徴とする、請求項１記載のベビードレスに関する。
【発明の効果】
【００１２】
請求項１に係る発明によれば、着丈が少なくとも着用者の膝まである前身頃及び後身頃と、前身頃下縁中央部及び後身頃下縁中央部に設けられる係止部からなるベビードレスであることで、着用者の太ももを締め付けずに前身頃下縁中央部及び後身頃下縁中央部に設けられる係止部を係止してカバーオール形状とすることができ、且つ係止部を係止してもドレスらしい外観を保持することができる。
また、前記後身頃の着丈が前記前身頃の着丈よりも長くなるように構成されていることで前記係止部を係止せずにドレス形状とする場合でも前記後身頃がめくれにくいという効果を奏する。
さらに、前記後身頃下縁中央部が略円弧状に突出して形成されることで係止部を係止した際着用者の臀部及び股部全体を覆うことができるため、着用者が横になったり激しく動いたりしても臀部や股部が外から見えてしまうのを防ぐことができる。
また、前記前身頃と前記後身頃との間の空間内に前記後身頃が折り畳まれた状態で前記前身頃の係止部と前記後身頃の係止部とが係止されるように、前記係止部が前記前身頃の内側及び前記後身頃の外側に配置されることで、係止部を係止しても係止部周辺に不自然なしわや布地のたるみができることなく、正面から見ても後ろから見ても美しい外観を保つことができる。
【００１３】
請求項２に係る発明によれば、前記前身頃及び前記後身頃が下方に向かうに従って横幅が広くなるように構成されていることで、係止部を係止してカバーオール形状とした場合でも着用者の足が締め付けられず、且つカバーオール形状としてもドレス形状としても裾の広がったドレスらしい外観を保持することができる。
【図面の簡単な説明】
【００１４】
【図１】本発明に係るドレス形状のベビードレスを着用した時の（Ａ）正面図及び（Ｂ）背面図である。
【図２】本発明に係るカバーオール形状のベビードレスを着用した時の（Ａ）正面図及び（Ｂ）背面図である。
【図３】本発明に係るドレス形状のベビードレスの（Ａ）正面図及び（Ｂ）背面図である。
【図４】本発明に係るカバーオール形状のベビードレスの（Ａ）正面図及び（Ｂ）背面図である。
【図５】本発明に係るベビードレスの前身頃及び後身頃の下縁中央部に配置される係止部の断面図である。
【発明を実施するための形態】
【００１５】
以下、本発明に係るベビードレスについて詳細に説明する。
【００１６】
本発明の目的は、前身頃及び後身頃の下縁中央部に設けられた係止部を係止することで衣服形態をカバーオール形状に変更可能なベビードレス、具体的にはカバーオール形状に変更しても着用者の足を締め付けずにドレスらしい外観を保つことができ、係止部を係止せずにドレス形状とした場合でも後身頃の下縁部がめくれにくいベビードレスを提供することにある。
【００１７】
図１は本発明に係るドレス形状のベビードレスを着用した時の（Ａ）正面図及び（Ｂ）背面図であり、図２は本発明に係るカバーオール形状のベビードレスを着用した時の（Ａ）正面図及び（Ｂ）背面図である。図３は本発明に係るドレス形状のベビードレス（１）の（Ａ）正面図及び（Ｂ）背面図であり、図４は本発明に係るカバーオール形状のベビードレス（１）の（Ａ）正面図及び（Ｂ）背面図である。
【００１８】
図１及び図２に示す如く、本発明に係るベビードレス（１）は着丈が少なくとも着用者の膝まである前身頃（２）及び後身頃（３）と、前身頃下縁中央部（８）及び後身頃下縁中央部（９）に設けられる係止部（４）からなる。
【００１９】
前身頃（２）及び後身頃（３）の着丈を少なくとも着用者の膝まであるものとすることで、係止部（４）を係止しても着用者の足が締め付けられることがないため、着心地が良いという効果を奏する。
また、係止部（４）を係止していない場合でも着用者を抱きかかえた時や、着用者が激しく動いた場合でも前身頃下縁部（５）及び後身頃下縁部（６）がめくれにくいという効果も奏する。
ベビードレス（１）は図１乃至図４に示す如く袖があるものであっても、袖がないものであっても良い。
【００２０】
図３に示すように、前身頃（２）は着脱を容易にするため前開きができるように前身頃（２）の中央に縦方向に係止具を設けることが望ましいが、特に限定されない。
また、前身頃（２）は着用者の胸部辺りに切替え線（７）を設けても良い。この際、図３及び図４に示す如く、切替え線（７）下部の布地にギャザーやタックをとることが望ましい。
その理由は、ギャザーやタックを取って立体化することにより、ドレスらしいゆったりとした形状とすることができるからである。ゆったりとした形状とすることで着用者の下半身が締め付けられず、暑い時期でも着心地の良いベビードレスとすることができるからである。
【００２１】
後身頃（３）は図４に示す如く一枚布であっても良く、前身頃（２）と同様に着用者の胸部辺りに切替え線（７）を設けたものであっても良い。
【００２２】
係止部（４）は前身頃下縁中央部（８）及び後身頃下縁中央部（９）に設けられる。図３においては、係止しやすさ及びとれにくさから係止部（４）としてスナップを用いているが、特に限定されず、例えば係止部（４）としてボタン、紐、ホック等を使用しても良い。
係止部（４）の数は特に限定されない。１つであっても複数であっても良い。
係止部（４）を前身頃下縁中央部（８）及び後身頃下縁中央部（９）に設けることにより、ベビードレス（１）の足側が２つに分離したカバーオール形状にも、足側が分離していないドレス形状にもすることができる。
カバーオール形状にもドレス形状にもなることで、生後まもない頃はドレス形状で使用し、足をよく動かすようになったらカバーオールとして使用できるため、長期間使用できるという利点がある。
また、前身頃下縁中央部（８）及び後身頃下縁中央部（９）にのみ係止部（４）が配置されていることで、上記特許文献１乃至３のように係止部が着用者の肩部から足側に向かってたくさん設けられているものと比較して、オムツ替えや着替えの時の着脱が容易で、且つカバーオール形状又はドレス形状に変更しやすい。
【００２３】
図５は、本発明に係るベビードレス（１）の前身頃下縁中央部（８）及び後身頃下縁中央部（９）に配置される係止部（４）の断面図である。
係止部（４）が後身頃（３）を前身頃（２）の内側に入れて留められるように、係止部（４）が前身頃（２）の内側及び後身頃（３）の外側に配置される。
図５に示す状態において、後身頃下縁中央部（９）は内側に折り曲げられている。後身頃下縁中央部（９）が折り曲げられた状態で前身頃（２）の係止部（４）に係止されることで、図２に示す如く係止部（４）を係止しても係止部（４）周辺に不自然なしわや布地のたるみができることなく、正面から見ても後ろから見ても美しい外観を保つことができる。
【００２４】
図３に示す如く、本発明に係るベビードレス（１）において後身頃（３）は前身頃（２）よりも長くなるように構成されている。
後身頃（３）が前身頃（２）よりも長いことで図１に示すように図１に示すように係止部（４）を係止しないドレス形状の時に着用者を抱きかかえたり着用者が激しく動いても後身頃（３）がめくれにくいという利点を有する。
また、後身頃（３）を長くすることで係止部（４）を係止した際に図２のように着用者の臀部のふくらみに合わせてゆったりと臀部を覆うことができる。
【００２５】
図３に示す如く、本発明に係るベビードレス（１）の後身頃下縁中央部（９）は円弧状に突出している。
円弧状に突出していることで係止部（４）を係止した際着用者の臀部及び股部全体を覆うことができるため、着用者が横になったり激しく動いたりしても臀部や股部が外から見えてしまうのを防ぐことができる。
【００２６】
図３に示す如く、本発明に係るベビードレス（１）の前身頃（２）及び後身頃（３）は下方に向かうに従って横幅が広くなるように構成されているのが望ましい。
その理由は、下方に向かうに従って横幅が広くなるように構成されていることで、係止部（４）を係止しても着用者の足が締め付けられるのを防ぐことができ、且つカバーオール形状でもドレス形状でも裾が広がったドレスらしい外観を備えたベビードレス（１）とすることができるからである。
【産業上の利用可能性】
【００２７】
本発明に係るベビードレス（１）は、前身頃下縁中央部（８）及び後身頃下縁中央部（９）に設けられた係止部（４）を係止することで衣服形態をカバーオール形状に変更可能なベビードレス（１）、より詳しくはカバーオール形状に変更しても着用者の足を締め付けずにドレスらしい外観を保つことができ、係止部（４）を係止せずにドレス形状とした場合でも後身頃下縁部（６）がめくれにくいベビードレス（１）として好適に利用される。
【符号の説明】
【００２８】
１    ベビードレス
２    前身頃
３    後身頃
４    係止部
５    前身頃下縁部
６    後身頃下縁部
７    切替え線
８    前身頃下縁中央部
９    後身頃下縁中央部
【図１】
2016023396.tif 000003
【図２】
2016023396.tif 000004
【図３】
2016023396.tif 000005
【図４】
2016023396.tif 000006
【図５】
2016023396.tif 000007